(57)【要約】【課題】  充填器具等が不要であり、容易に施工できて、周辺に補強フレーム等があっても問題なく部品取付用部材を固定することのできる部品取付用部材の固定構造を提供する。【解決手段】  壁１に形成した貫通孔１ａの壁裏に部品取付用部材２を固定する構造であって、貫通孔１ａから壁裏へ挿入できる大きさの部品取付用部材２と、接着剤３ａを充填したパック３を備え、パック３内の接着剤３ａを染み出させて、部品取付用部材２を壁１の裏側に接着固定させることができる。【選択図】  図２
2005083470.tif 000002
【特許請求の範囲】
【請求項１】
壁に形成した貫通孔の壁裏に部品取付用部材を固設する構造であって、前記貫通孔から壁裏へ挿入できる大きさの部品取付用部材と接着剤を充填したパックを備え、前記パック内の接着剤を染み出させて、前記部品取付用部材を壁裏に接着固定させたことを特徴とする部品取付用部材の固定構造。
【請求項２】
前記パックを、前記部品取付用部材と別の部材間に挟み込んで、前記接着剤を染み出させるように構成したことを特徴とする請求項１に記載の部品取付用部材の固定構造。
【請求項３】
前記パックを、前記貫通孔の表側から押し込むことのできるテーパー部を有する部品取付用部材で押圧し、前記接着剤を染み出させるように構成したことを特徴とする請求項１に記載の部品取付用部材の固定構造。
【発明の詳細な説明】
【技術分野】
【０００１】
この発明は、浴室等の壁面に部品を取り付けるための部品取付用部材を、壁裏に固定させる部品取付用部材の固定構造に関するものである。
【背景技術】
【０００２】
従来、特許文献１に開示されているように、取付プラグと一体となった布製の袋を壁裏に挿入し、接着剤を充填してプラグを固定することのできる、いわゆるパラシュートプラグが存在する。
【特許文献１】特開平９−９６３０５号公報
【発明の開示】
【発明が解決しようとする課題】
【０００３】
従来のパラシュートプラグにおいては、接着剤をプラグに充填させるための器具が必要であり、また、接着剤を充填する作業が必要であるため、施工に時間がかかるという問題点があった。
【課題を解決するための手段】
【０００４】
本発明は上記従来の問題点に鑑み案出したものであって、接着剤を充填させる器具が不要で、接着剤を充填させる必要がなく、容易に施工できる部品取付用部材の固定構造を提供せんとするものであり、請求項１は、壁に形成した貫通孔の壁裏に部品取付用部材を固設する構造であって、前記貫通孔から壁裏へ挿入できる大きさの部品取付用部材と接着剤を充填したパックを備え、前記パック内の接着剤を染み出させて、前記部品取付用部材を壁裏に接着固定させたことである。
【０００５】
また、請求項２は、前記パックを、前記部品取付用部材と別の部材間に挟み込んで、前記接着剤を染み出させるように構成したことである。
また、請求項３は、前記パックを、前記貫通孔の表側から押し込むことのできるテーパー部を有する部品取付用部材で押圧し、前記接着剤を染み出させるように構成したことである。
【発明の効果】
【０００６】
本発明は、壁に形成した貫通孔の壁裏に部品取付用部材を固設する構造であって、貫通孔から壁裏へ挿入できる大きさの部品取付用部材と接着剤を充填したパックを備え、パックから接着剤を壁裏の貫通孔の周辺に染み出させて広げ、接着剤の硬化によって、部品取付用部材を固定することができ、貫通孔周辺の壁裏に補強フレームが存在しても、接着剤の作用によって、問題なく部品取付用部材を固定することができ、また、貫通孔も比較的小さい孔のもので良い。
【０００７】
また、パックを、部品取付用部材と別の部材間に挟み込んで、接着剤を染み出させるように構成したことにより、ボルトを回転させる等して、部品取付用部材と別の部材間でパックを挟み込み、パック内の接着剤を染み出させて、接着剤を壁裏の貫通孔の周辺に広げて硬化させて、良好に部品取付用部材を固定することができ、従来のような接着剤充填用の器具が不要となり、また接着剤を充填する必要もなく、施工を簡単に行うことができるものとなる。
【０００８】
また、パックを、テーパー部を有する部品取付用部材で、貫通孔の表側から押圧し、接着剤を染み出させるように構成したことにより、テーパー部を有する部品取付用部材を表側から押し込んで、パック内の接着剤を染み出させて壁裏の貫通孔周辺に広げ、接着剤を硬化させることによって部品取付用部材を固定することができ、貫通孔を比較的小さくすることができて、貫通孔の周辺に補強フレームがあっても、問題なく部品取付用部材を固定することができ、また、従来のような接着剤充填器具を用いる必要がなく、施工も容易に行えるものである。
【実施例１】
【０００９】
以下、本発明の実施例を図面に基づいて説明する。
図１は、構成部材の斜視構成図であり、図２は、壁の貫通孔に対する構成部材の配置分解縦断面構成図である。
壁１には予め貫通孔１ａを開口させておき、この貫通孔１ａよりも小径の、部品取付用部材２とパック３を用い、部品取付用部材２は円板状に形成され、中心部には雌ネジ２ａが形成されている。
また、パック３は、中央部に通し孔３ｂを有する浮輪状に布製で形成されたものであり、内部には、ゲル状のエポキシ樹脂等の接着剤３ａが充填されている。
【００１０】
また、壁１の表側に固定される化粧部材４の中央部には、ボルト５を通すことのできる中央孔４ａが形成されており、また化粧部材４の裏側には、壁の貫通孔１ａの内周に位置決めできる位置決め突起４ｂが突出形成されている。
【００１１】
なお、壁１の表側にはフック等の部品を取り付けることができるものであり、図示しないフック等の部品にボルト５を通し、ボルト５を化粧部材４の中央孔４ａおよびパック３の通し孔３ｂに通して、ボルト５を部品取付用部材２の雌ネジ２ａに螺合させておき、その状態で、壁１の貫通孔１ａの裏側へ部品取付用部材２とパック３を配置させ、化粧部材４を貫通孔１ａに位置決めして配置させる。
【００１２】
その状態で、ボルト５の頭部５ａを回転させることにより、雌ネジ２ａを介して部品取付用部材２が、図３に示すように、化粧部材４の方向に移動し、部品取付用部材２と化粧部材４の裏側でパック３が挟み込まれることとなり、更にボルト５を締め付けることにより、パック３内の接着剤３ａが外側へ染み出されて、接着剤３ａは貫通孔１ａの周囲の壁１の裏側に広がり、接着剤３ａが硬化することによって、接着剤３ａを介し部品取付用部材２が壁１の裏側の貫通孔１ａの裏側に強固に固定されることとなる。
【００１３】
このように、接着剤３ａの硬化によって固定と補強を行うものであるため、貫通孔１ａの裏側周辺に補強フレームが存在している場合でも、接着剤３ａの作用によって問題なく部品取付用部材２を壁裏に固定することができるものである。
また、作業は、壁１の表側からボルト５を締め付けるだけであり、施工が容易なものとなる。
【実施例２】
【００１４】
次に、図４，図５，図６では、第２実施例を説明する。
第２実施例では、図４に分解図で示すような構成部材を用いるものである。なお、パック３は、第１実施例と同様に、中央部に通し孔３ｂを有して布製の浮き輪状に形成されており、内部にはエポキシ樹脂等の接着剤が充填されたものである。
本例では、部品取付用部材１２は、パック３の通し孔３ｂ内に入り込むことのできる裁頭円錐形状のテーパー部１２ｂを有して、前面側は平面１２ａとなっており、この平面には雌ネジ１２ｃが形成されている。
【００１５】
また、壁裏補強具６が用いられ、この壁裏補強具６は、壁１の表面に当接するドーナツ板状の化粧リング７と、壁１の貫通孔１ａに通すことのできる小径の補強リング８を備えており、補強リング８の中央部には中央孔８ａが形成され、また、化粧リング７にも中央孔７ａが形成されている。
この化粧リング７と補強リング８は、複数本の連結バー９，９，９で連結されており、連結バー９で囲まれた補強リング８と化粧リング７の間に、パック３を収納させることができるように構成されている。
【００１６】
図５に示すように、壁１に予め貫通孔１ａを形成させ、この貫通孔１ａの表側より、壁裏補強具６の補強リング８をパック３と共に壁裏へ配置させて、壁１の表側に化粧リング７を当接させておき、この状態で、壁の表側から、部品取付用部材１２のテーパー部１２ｂを、中央孔７ａを通して、パック３の通し孔３ｂ内に押し込み、更に部品取付用部材１２を強く押し込むと、テーパー部１２ｂの作用によりパック３の通し孔３ｂは外側へ拡径され、これによりパック３内の接着剤３ａが外方に染み出し、図６に示すように、壁１の裏側の貫通孔１ａの周辺に接着剤３ａが広がり、この状態で接着剤３ａが硬化することにより、部品取付用部材１２は強固に固定されることとなる。
【００１７】
また、壁裏補強具６も同時に固定されて、良好に壁１の補強が行われることとなり、この状態で、壁の表側より、取り付けるべき部品１０の孔１０ａ内にボルト５を通し、ボルト５を部品取付用部材１２の雌ネジ１２ｃに締め付けてゆくことにより、良好に壁１の表側に部品１０を取り付けることができるものとなる。
【００１８】
本例においても、部品取付用部材１２を、パック３に押し込み、または打ち込む等して、接着剤３ａを染み出させて、部品取付用部材１２を固定させることができ、施工が容易なものとなる。
【図面の簡単な説明】
【００１９】
【図１】第１実施例の構成部材の分解斜視図である。
【図２】壁の貫通孔に対する構成部材の配置状態の側面断面構成図である。
【図３】パックから接着剤を染み出させた状態の縦断面構成図である。
【図４】第２実施例の構成部材の斜視構成図である。
【図５】第２実施例のパックの壁裏への配置状態の分解縦断面構成図である。
【図６】パックに対し部品取付用部材を押圧して接着剤を染み出させた状態の縦断面構成図である。
【符号の説明】
【００２０】
１  壁
１ａ  貫通孔
２  部品取付用部材
２ａ  雌ネジ
３  パック
３ａ  接着剤
３ｂ  通し孔
４  化粧部材
４ａ  中央孔
４ｂ  位置決め突起
５  ボルト
５ａ  頭部
６  壁裏補強具
７  化粧リング
７ａ  中央孔
８  補強リング
８ａ  中央孔
９  連結バー
１０  部品
１２  部品取付用部材
１２ａ  平面
１２ｂ  テーパー部
１２ｃ  雌ネジ
【図１】
2005083470.tif 000003
【図２】
2005083470.tif 000004
【図３】
2005083470.tif 000005
【図４】
2005083470.tif 000006
【図５】
2005083470.tif 000007
【図６】
2005083470.tif 000008